(57)【特許請求の範囲】
【請求項１】
携帯端末に記録されたデータが集配信装置を通じて上位装置に伝送される携帯端末データの集配信システムにおいて、
前記携帯端末が、
前記集配信装置にセットされたことを検出する検出手段と、
前記集配信装置を経由して上位装置と通信する通信手段と、
前記上位装置へ伝送するデータ及び前記上位装置へ接続する電話番号を記憶する記憶部と
を備え、
前記集配信装置が、
前記上位装置との間の通信経路を指定する経路指示手段を有し、
前記携帯端末は、前記検出手段によって集配信装置への携帯端末のセットが検出されると、前記経路指示手段が指示する通信経路を識別し、前記通信経路が前記電話番号を用いて接続することが必要な通信経路であるときは、前記記憶部に記憶した前記電話番号を用いて前記上位装置と前記集配信装置とを接続して、前記記憶部で記憶する前記データを伝送することを特徴とする携帯端末データの集配信システム。
【請求項２】
携帯端末に記録されたデータが集配信装置を通じて上位装置に伝送される携帯端末データの集配信システムに用いる携帯端末であって、
前記集配信装置にセットされたことを検出する検出手段と、
前記集配信装置を経由して上位装置と通信する通信手段と、
前記上位装置へ伝送するデータ及び前記上位装置へ接続する電話番号を記憶する記憶部と
を備え、前記検出手段によって集配信装置への携帯端末のセットが検出されると、前記集配信装置が指示する通信経路を識別し、前記通信経路が前記電話番号を用いて接続することが必要な通信経路であるときは、前記通信手段が、前記記憶部に記憶した前記電話番号を用いて前記上位装置と前記集配信装置とを接続して、前記記憶部で記憶する前記データを伝送することを特徴とする携帯端末。
【発明の詳細な説明】
【０００１】
【発明の属する技術分野】
本発明は、携帯端末に記録したデータをホストコンピュータなどの上位装置に集める集配信システムに関し、特に、携帯端末を集配信装置にセットするだけで自動的に携帯端末からのデータ送信が行われるようにしたものである。
【０００２】
【従来の技術】
近年、営業活動や保守点検作業など各種の業務に、携帯端末を利用した集配信システムが導入され、情報の伝達や整理の効率化が図られている。
【０００３】
このシステムでは、各人が携帯端末を所持して各所を回り、行く先々で携帯端末にデータを入力する。帰社すると、この携帯端末を集配信装置にセットし、所定の操作を行って、携帯端末に記憶されたデータを、集配信装置と通信接続するホストコンピュータなどの上位装置に伝送する。上位装置では、受信した各データを整理、記録する。
【０００４】
集配信装置と上位装置とは、ＬＡＮや無線回線など、各種の通信経路で接続されている。図６は、集配信装置２と上位装置４とがＬＡＮで接続されているシステムを図示しており、集配信装置２にセットされた携帯端末１は、ＬＡＮを通じて上位装置４とデータ通信を行い、携帯端末１に記録されたデータを送信する。
また、図７は、集配信装置２及び上位装置４がそれぞれモデム31に接続し、無線回線や一般回線を通じて回線接続するシステムを示している。この場合、集配信装置２にセットされた携帯端末１は、上位装置４の電話番号をダイヤルして、通信回線を確保した後、データを上位装置４に伝送する。
【０００５】
図５は、この集配信システムの構成をブロック図で示している。このシステムの携帯端末１は、データを記憶する記憶部11と、記憶部11のデータを上位装置４に伝送する際にユーザが通信設定を入力する通信設定入力部12と、集配信装置との間の赤外線通信（ＩｒＤＡ）を実行する対集配信装置通信部13とを具備しており、また、集配信装置２は、携帯端末１との間の赤外線通信を実行する対携帯端末通信部21と、上位装置４との通信を実行する対上位装置通信部22と、通信経路３を選択する経路選択スイッチ23とを具備している。
【０００６】
この集配信装置２には、ＬＡＮまたは無線回線など、１種類の通信経路３が予め接続されており、集配信装置２に内蔵された経路選択スイッチ23は、接続された通信経路３に応じて設定されている。
【０００７】
ユーザは、携帯端末１に記録したデータを上位装置４に伝送する場合に、携帯端末１を集配信装置２にセットし、携帯端末１の通信設定入力部12を操作して、通信経路３の種別に従って、例えば、ＬＡＮによるデータ通信またはモデムによるデータ通信の指示を入力する。
【０００８】
対集配信装置通信部13は、この指示に応じて、ＬＡＮによりデータを伝送する場合には、記憶部11に記録されたデータを読み出し、アプリケーションのプロトコルに従って、データを集配信装置２に赤外線通信する。
【０００９】
集配信装置２は、このデータを対携帯端末通信部21で受信すると、対上位装置通信部22から、通信経路３（ＬＡＮ）を通じて上位装置４に送信する。
【００１０】
また、携帯端末１の対集配信装置通信部13は、通信設定入力部12からモデムによるデータ通信の指示が入力した場合には、集配信装置２を介して、モデムの状態を制御し、記憶部11に記憶されている上位装置４の電話番号を読み出してダイヤルする。そして、上位装置４との通信回線が確保されると、記憶部11に記録されたデータを読み出し、アプリケーションのプロトコルに従って、集配信装置２及びモデムを介して、通信回線より上位装置４に伝送する。
【００１１】
また、ＬＡＮやモデムによる通信経路３を通じて、上位装置４の側から、集配信装置２にセットされた携帯端末１にデータを転送することも可能である。
【００１２】
なお、携帯端末と上位装置とのデータ伝送の際に、通信設定の入力を上位装置の側で行うことも可能である。
【００１３】
【発明が解決しようとする課題】
しかし、従来の集配信システムでは、携帯端末のデータを上位装置にデータ伝送する場合に、ユーザの操作が必要であり、ユーザにとって煩わしさがある。また、この操作ミスのためにデータが伝送できなかったり、操作をやり直してデータ伝送に時間が掛かったりする場合もある。
【００１４】
本発明は、こうした従来の問題点を解決するものであり、携帯端末を集配信装置にセットすれば、自動的に上位装置とのデータ伝送が行われる携帯端末データの集配信システム及び装置を提供することを目的としている。
【００１５】
【課題を解決するための手段】
そこで、本発明のシステムでは、携帯端末が、集配信装置にセットされたときに、集配信装置に上位装置との間の通信手段を問い合わせて、その通信手段の通信手順に従ってデータを伝送するように構成している。
【００１６】
そのため、ユーザが携帯端末を集配信装置にセットすれば、特別の操作を行わなくても、自動的に携帯端末のデータが上位装置に伝送される。
【００１７】
【発明の実施の形態】
以下、本発明の実施の形態について、図面を用いて説明する。
【００２０】
本発明の実施形態における携帯端末データの集配信システムは、図１に示すように、携帯端末１が、データを記憶する記憶部11と、携帯端末１が集配信装置２にセットされたことを検出する接続検出部14と、集配信装置２との間の赤外線通信を実行する対集配信装置通信部13とを具備している。また、集配信装置２は、携帯端末１との間の赤外線通信を実行する対携帯端末通信部21と、上位装置４との通信を実行する対上位装置通信部22と、通信経路３を選択する経路選択スイッチ23と、携帯端末１が集配信装置２にセットされたことを検出する接続検出部25と、経路選択スイッチ23の設定状態から通信経路３を識別する通信経路識別部24とを具備している。
【００２１】
この集配信装置２に内蔵された経路選択スイッチ23は、接続する通信経路３に応じて設定されている。通信経路識別部24は、経路選択スイッチ23の設定状態から、集配信装置２がＬＡＮ接続であるかモデム接続であるかを識別する。
【００２２】
また、ユーザが携帯端末１を集配信装置２にセットすると、携帯端末１では、接続検出部14がそれを検出して対集配信装置通信部13に伝え、また、集配信装置２では、接続検出部25がそれを検出して対携帯端末通信部21に伝える。
【００２３】
携帯端末１が集配信装置２にセットされたことを知った対集配信装置通信部13は、図２に示すように、集配信装置２がＬＡＮに接続しているかモデムに接続しているかを問い合わせる接続種別要求を集配信装置２に送信する。
【００２４】
集配信装置２の対携帯端末通信部21は、これを受けて、通信経路識別部24が識別した識別結果、即ち、通信手段がモデムであるかＬＡＮであるかを携帯端末１に応答する。
【００２５】
携帯端末１の対集配信装置通信部13は、図３に示すように、接続種別要求に対する応答が「ＬＡＮ」である場合には、記憶部11に記録されたデータを読み出し、アプリケーションのプロトコルに従って、データを集配信装置２に赤外線通信する。
【００２６】
集配信装置２は、このデータを対携帯端末通信部21で受信すると、対上位装置通信部22から、通信経路３のＬＡＮを通じて上位装置４に送信する。
【００２７】
また、携帯端末１の対集配信装置通信部13は、接続種別要求に対する応答が「モデム」である場合には、図４に示すように、コマンドを交信して、モデムによる通信を実行する。
【００２８】
まず、モデムを初期化してモデム設定を行い、次いで、記憶部11に記憶されている上位装置４の電話番号を読み出し、対集配信装置通信部13より集配信装置２に伝える。そして、上位装置４との通信回線が確保されると、記憶部11に記録されたデータを読み出し、アプリケーションのプロトコルに従って、集配信装置２に赤外線通信でデータ伝送する。集配信装置２は、このデータを対携帯端末通信部21で受信すると、対上位装置通信部22からモデムに送出し、データは、モデムから通信回線を通じて上位装置４に伝送される。
【００２９】
データの転送が完了すると、携帯端末１からモデムをオンフックするコマンドを送って回線を切断し、データ通信を終了する。
【００３０】
このように、この携帯端末データの集配信システムでは、ユーザが携帯端末を集配信装置にセットすれば、自動的に携帯端末に記憶されたデータが上位装置に伝送される。
【００３１】
なお、集配信装置は、複数の受け口を設けて、複数の携帯端末が同時にセットできるように構成することもできる。
【００３２】
【発明の効果】
以上の説明から明らかなように、本発明のシステムでは、ユーザは特別の操作を行わなくても、携帯端末を集配信装置に設置するだけで、携帯端末に記憶されたデータが上位装置に自動的に送信される。そのため、携帯端末の操作が簡単になり、システムの利便性が向上する。
【図面の簡単な説明】
【図１】本発明の実施形態における集配信システムの構成を示すブロック図、
【図２】実施形態の集配信システムでの通信手段の確認手順を示すシーケンス、
【図３】実施形態の集配信システムがＬＡＮ接続の場合のデータ転送シーケンス、
【図４】実施形態の集配信システムがモデム接続の場合のデータ転送シーケンス、
【図５】従来の集配信システムの構成を示すブロック図、
【図６】集配信装置と上位装置とがＬＡＮ接続された集配信システムを示す図、
【図７】集配信装置と上位装置とがモデム接続された集配信システムを示す図である。
【符号の説明】
１  携帯端末
２  集配信装置
３  通信経路
４  上位装置
11  記憶部
12  通信設定入力部
13  対集配信装置通信部
14  接続検出部
21  対携帯端末通信部
22  対上位装置通信部
23  経路選択スイッチ
24  通信経路識別部
25  接続検出部
31  モデム
【図１】
0004242497.tif 000002
【図２】
0004242497.tif 000003
【図３】
0004242497.tif 000004
【図４】
0004242497.tif 000005
【図５】
0004242497.tif 000006
【図６】
0004242497.tif 000007
【図７】
0004242497.tif 000008